(57)【要約】【課題】複数のＩＤ取得機が近接して設置され、通信可能領域の一部が重複しているときのＩＤ起動信号の干渉を低減する。【解決手段】ＩＤ認証システム１は、物件の所定箇所に近接して設置され、それぞれがＩＤ起動信号を発信する複数のＩＤ取得機２Ａ，２Ｂと、ＩＤ起動信号を受信したときにＩＤ信号を返信する携帯通信機３とを含む。ＩＤ取得機２Ａ，２Ｂは、携帯通信機３にＩＤ起動信号を発信し、この発信したＩＤ起動信号に応答して携帯通信機３から返信されるＩＤ信号の正当性を判別して認証を行う。ＩＤ取得機２Ａ，２Ｂは、少なくとも一方がＩＤ起動信号の発信間隔をランダムに選択してＩＤ起動信号を発信する。これにより、通信可能領域ＥＡ，ＥＢの一部が重複しているときのＩＤ起動信号の干渉を低減する。【選択図】図１
2017084267.tif 000002
【特許請求の範囲】
【請求項１】
物件の所定箇所に近接して設置され、それぞれがＩＤ起動信号を発信する複数のＩＤ取得機と、前記ＩＤ起動信号を受信したときにＩＤ信号を送信する携帯通信機とを備え、前記ＩＤ信号の正当性を判別してＩＤ認証を行うＩＤ認証システムであって、
前記複数のＩＤ取得機の少なくとも１つのＩＤ取得機は、前記ＩＤ起動信号の発信間隔をランダムに選択して当該ＩＤ起動信号を発信することを特徴とするＩＤ認証システム。
【発明の詳細な説明】
【技術分野】
【０００１】
本発明は、物件の所定箇所に近接して設置され、それぞれがＩＤを取得するためのＩＤ起動信号を送信する複数のＩＤ取得機と、ＩＤ取得機からのＩＤ起動信号に応答してＩＤ信号を送信する携帯通信機とを用い、ＩＤ信号（ＩＤ）の正当性を判別して認証を行うＩＤ認証システムに関するものである。
【背景技術】
【０００２】
従来、集合住宅、商業ビル、ホテル、公共施設などの各種物件には、不審者の侵入を回避するため、防犯性に富んだ電気錠システムが採用されている。この種の電気錠システムは、ＩＤ認証に基づく特定の施解錠信号により、例えばモータやソレノイドなどの駆動手段を駆動してデッドボルトを電気的に進退させて電気錠の施解錠を制御しており、様々な形態のものが提案されている。
【０００３】
そして、本件出願人は、上述したＩＤ認証を行うシステムとして、下記特許文献１に開示される無線ＩＤ認証システムを出願している。この特許文献１に開示される無線ＩＤ認証システムは、ＩＤを取得するためのＩＤ起動信号を周期的に繰り返し送信するＩＤ取得機と、ＩＤ取得機からのＩＤ起動信号に同期してＩＤ信号を送信する認証キーとを用いたものであり、ＩＤ信号を取得するシーケンスの時間の短縮を図っている。
【先行技術文献】
【特許文献】
【０００４】
【特許文献１】特開２０１３−２１０８７８号公報
【発明の概要】
【発明が解決しようとする課題】
【０００５】
ところで、上述した無線ＩＤ認証システムを所望の物件に採用し、複数のＩＤ取得機を近接（隣接）して設置した場合、これら複数のＩＤ取得機の通信可能領域の一部が重複する場合がある。具体的には、約１．５ｍ以内に複数のＩＤ取得機が設置されると、これらＩＤ取得機の通信可能領域の一部が重複する。なお、複数のＩＤ取得機が近接して設置される例としては、例えば２世帯住宅や集合住宅の玄関などがある。２世帯住宅の場合は、扉が柱一つ程度で隣り合っているため、複数のＩＤ取得機同士が非常に近い位置関係にある。また、集合住宅の玄関では、２部屋毎に非常に近い位置に玄関が配置されることが多く、複数のＩＤ取得機が近接した位置関係にある。
【０００６】
また、ＩＤ取得機は、電波を発信し、この発信した電波を認証キーが受信しており、その到達距離（通信可能距離）を最大１．５ｍ程度としているが、周囲の環境によって通信距離も変化する。具体的には、物件の扉の材質、物件（例えば住宅）の近傍の外壁やフェンスなどによって変化する。これにより、複数のＩＤ取得機の通信可能領域の重複する度合いも変化する。
【０００７】
そして、上述した状況下において、認証キーが通信可能領域の重複領域に存在すると、複数のＩＤ取得機それぞれから発信されるＩＤ起動信号が重複領域で互いに干渉し、本来受信されるべきＩＤ取得機からのＩＤ起動信号が認証キーに届かない。このため、認証キーは、ＩＤ取得機からのＩＤ起動信号を受信できず、ＩＤ起動信号に応答してＩＤ信号をＩＤ取得機に送信することができないという問題が招く。
【０００８】
さらに図２を参照しながら説明する。図２の例では、２つのＩＤ取得機Ａ，Ｂが近接して設置され、互いの通信可能領域ＥＡ，ＥＢの一部が重複する重複領域Ｅが存在し、ＩＤ取得機Ａのみに認証キーＣが登録されているものとする。認証キーＣを所有した利用者がＩＤ取得機ＡでのＩＤ認証を行うため、ＩＤ取得機Ａの通信可能領域ＥＡ内に進入して認証キーＣが２つのＩＤ認証機Ａ，Ｂの通信可能領域ＥＡ，ＥＢの重複領域（図２の斜線で囲まれる領域）Ｅに存在すると、２つのＩＤ取得機Ａ，Ｂそれぞれから発信するＩＤ起動信号が互いに干渉してしまう。このため、ＩＤ取得機Ａが発信するＩＤ起動信号は、ＩＤ取得機Ｂが発信するＩＤ起動信号によって邪魔されてしまい、認証キーＣが受信することができない。その結果、ＩＤ取得機ＡからのＩＤ起動信号に応答して認証キーＣからＩＤ信号が送信されず、ＩＤ認証を正常に行うことができない。
【０００９】
そこで、本発明は上記問題点に鑑みてなされたものであり、複数のＩＤ取得機が近接して設置され、通信可能領域の一部が重複しているときのＩＤ起動信号の干渉を低減することができるＩＤ認証システムを提供することを目的とするものである。
【課題を解決するための手段】
【００１０】
上記した目的を達成するために、請求項１に記載されたＩＤ認証システムは、物件の所定箇所に近接して設置され、それぞれがＩＤ起動信号を発信する複数のＩＤ取得機と、前記ＩＤ起動信号を受信したときにＩＤ信号を送信する携帯通信機とを備え、前記ＩＤ信号の正当性を判別してＩＤ認証を行うＩＤ認証システムであって、
前記複数のＩＤ取得機の少なくとも１つのＩＤ取得機は、前記ＩＤ起動信号の発信間隔をランダムに選択して当該ＩＤ起動信号を発信することを特徴とする。
【発明の効果】
【００１１】
本発明によれば、複数のＩＤ取得機のうちの少なくとも１つのＩＤ取得機は、ＩＤ起動信号の発信間隔をランダムに選択してＩＤ起動信号の発信を行う。かかる構成により、複数のＩＤ取得機を近接して設置し、通信可能領域の一部が重複する場合であっても、複数のＩＤ取得機から同時にＩＤ起動信号が発信される確率が減り、通信可能領域の重複領域でのＩＤ起動信号の干渉を低減することができる。そして、全てのＩＤ取得機のＩＤ起動信号の発信間隔をランダムに選択してＩＤ起動信号を発信すれば、さらにＩＤ起動信号が干渉する確率が減り、より確実なＩＤ認証を行うことができる。
【図面の簡単な説明】
【００１２】
【図１】本発明に係るＩＤ認証システムのブロック構成図である。
【図２】２つのＩＤ取得機が近接して設置され、通信可能領域の一部が重複しているときの概略説明図である。
【発明を実施するための形態】
【００１３】
以下、本発明を実施するための形態について、添付した図面を参照しながら詳細に説明する。
【００１４】
図１に示すように、本実施の形態のＩＤ認証システム１は、複数のＩＤ取得機２（２Ａ，２Ｂ）と、ＩＤ認証システム１の利用者が所有する携帯通信機３と含んで構築される。複数のＩＤ取得機２（２Ａ，２Ｂ）は、所定の物件（例えば、集合住宅、商業ビル、ホテル、公共施設など）に近接（隣接）して設置され、図１の点線で示すように、お互いの通信可能領域Ｅ１，Ｅ２の一部が重複（重複領域Ｅ）している。
【００１５】
なお、図１は、前述した図２の説明図と同様に、２つのＩＤ取得機２Ａ，２Ｂが近接して設置され、お互いの通信可能領域Ｅ１，Ｅ２の一部が重複している場合を示しているが、３つ以上のＩＤ取得機２が近接して設置され、お互いの通信可能領域の一部が重複する場合であってもよい。
【００１６】
そして、本例のＩＤ認証システム１は、通信可能領域の一部が重複した状態で複数のＩＤ取得機２が近接して設置される各種物件（例えば、集合住宅、商業ビル、ホテル、公共施設など）に採用することができる。
【００１７】
ＩＤ取得機２（２Ａ，２Ｂ）は、携帯通信機３との間の無線通信により、後述するランダムに選択された発信間隔によるＩＤ起動信号の発信を行い、このＩＤ起動信号の発信に伴って携帯通信機３から返信されるＩＤ信号を取得するリーダ／ライタ装置で構成される。
【００１８】
ＩＤ取得機２は、例えば商用電源（ＡＶ１００Ｖ）や、充電池、ボタン電池、乾電池などの各種電池を駆動電源とし、図１に示すように、無線通信部２ａ、記憶部２ｂ、制御部２ｃを含んで構成される。
【００１９】
無線通信部２ａは、制御部２ｃの制御により、通信可能領域Ｅ１（Ｅ２）内に存在する携帯通信機３との間で無線通信を行うものであり、通信可能領域Ｅ１（Ｅ２）内に存在する携帯通信機３からＩＤ信号を受信してＩＤを取得するためのＩＤ起動信号を、後述するランダムに選択された発信間隔で発信する。
【００２０】
なお、ＩＤ起動信号は、通信可能領域Ｅ１（Ｅ２）内の携帯通信機３に対してＩＤ信号の送信を要求する呼出し信号である。ＩＤ起動信号は、携帯通信機３から受信するＩＤ信号を復号するためのコード（チャレンジコード、ローリングコードなど）を含んでおり、例えば３０〜３００ｋＨｚの長波：ＬＦ(Low Frequency) 波からなる。
【００２１】
また、無線通信部２ａは、ＩＤ起動信号の発信に伴う応答として、通信可能領域Ｅ１（Ｅ２）内に存在する携帯通信機３から送信される暗号化済みのＩＤ信号を受信する。
【００２２】
記憶部２ｂは、携帯通信機３から受信したＩＤ信号のレベルが一定値を超えるか否かを判別するための基準となる受信レベル基準値、携帯通信機３から受信したＩＤ信号を復号するためのコード（チャレンジコード、ローリングコードなど）、復号したＩＤ信号のＩＤの照合（ＩＤ認証システム１の利用を許可する携帯通信機３からの信号か否かを判別）するためのＩＤ値、受信制限時間などのＩＤ信号のＩＤを認証するために必要な各種情報を記憶する。
【００２３】
制御部２ｃは、無線通信部２ａからのＩＤ起動信号の発信の都度、ＩＤ起動信号の発信間隔をランダムに選択してＩＤ起動信号を発信するように無線通信部２ａを制御する。具体的には、例えば１３２ｍｓｅｃ，２１２ｍｓｅｃ，３３２ｍｓｅｃ，４２２ｍｓｅｃによる平均２７４．５ｍｓｅｃの４種類の発信間隔を用意し、それぞれの発信間隔と乱数発生器が発生する数字とを予め対応付けさせておく。そして、制御部２ｃは、ＩＤ起動信号の発信の都度、乱数発生器が発生する数字に対応する発信間隔でＩＤ起動信号の発信を制御する。これにより、無線通信部２ａは、毎回ランダムに選択される発信間隔でＩＤ信号を発信する。
【００２４】
なお、上述した乱数（数字）は、ソフトウェアの他、例えば真性乱数生成ＩＣ（高性能汎用物理乱数生成ＡＳＩＣ）などを用いて発生することができる。また、ＩＤ起動信号は、それぞれの発信間隔における発信タイミングが重複しないように適宜設定するのが好ましい。さらに、ＩＤ起動信号は、上述した４種類の発信間隔に限定されるものではなく、発信間隔の種類を増やせば、ＩＤ起動信号が干渉する確率をさらに低減することができる。その際、ＩＤ起動信号の発信間隔の選択は、上述した構成に限定されるものではない。例えば１０種類の発信間隔（Ｎｏ．０〜９）を用意しておき、これらの発信間隔をランダムに抽出する。具体的には、Ａ／Ｄ変換器を用いて電源電圧を高精度に常時測定する。そして、Ａ／Ｄ変換器によるＡ／Ｄ変換値の下一桁の値（０〜９）と対応する番号（Ｎｏ．０〜９）の発信間隔を選択する。この場合、高精度に測定しているＡ／Ｄ変換器によるＡ／Ｄ変換値の下一桁の値は微妙に振れるため、発信間隔を毎回ランダムに選択して変更することができる。
【００２５】
携帯通信機３は、ＩＤ認証システム１を利用する各利用者が所有するもので、ＩＤ取得機２の通信可能領域Ｅ１（Ｅ２）内においてＩＤ取得機２との間で近距離無線通信が可能な構成である。具体的な携帯通信機３としては、携帯端末（携帯電話、スマートフォン）、電磁界や電波などを用いてＩＤ取得機２との間で近距離無線通信を可能とするＣＰＵやＲＯＭ、ＲＡＭ、フラッシュＲＡＭなどを含むＲＦＩＤタグ、ＲＦＩＤタグを搭載した各種媒体（例えば、無線通信可能なカード状記憶媒体、リモコンキー）などがある。
【００２６】
携帯通信機３は、例えば充電池、ボタン電池、乾電池などの各種電池を駆動電源とし、図１に示すように、無線通信部３ａ、記憶部３ｂ、制御部３ｃを含んで構成される。
【００２７】
無線通信部３ａは、制御部３ｃの制御により、携帯通信機３がＩＤ取得機２の通信可能領域Ｅ１（Ｅ２）内に存在し、ＩＤ取得機２（２Ａ又は２Ｂ）からのＩＤ起動信号を受信したときに、そのＩＤ起動信号に応答（同期）してＩＤ信号を送信する。
【００２８】
なお、ＩＤ信号は、ＩＤ取得機２（２Ａ又は２Ｂ）から取得したＩＤ起動信号に含まれるコード（チャレンジコード、ローリングコードなど）でＩＤ値（携帯通信機３を特定する情報：例えば製造番号、電話番号、メールアドレスなどの固体識別情報）を暗号化した信号であり、例えば３０〜３００ＭＨｚの超短波：ＶＨＦ(Very High Frequency) 波からなる暗号化済み信号である。
【００２９】
記憶部３ｂは、自身のＩＤ値（携帯通信機３を特定する情報：例えば製造番号、電話番号、メールアドレスなどの固体識別情報）を記憶する。
【００３０】
制御部３ｃは、無線通信部３ａがＩＤ取得機２（２Ａ又は２Ｂ）からＩＤ起動信号を受信したときに、そのＩＤ起動信号に応答（同期）してＩＤ信号を送信するように無線通信部３ａを制御する。
【００３１】
次に、上記のように構成されるＩＤ認証システム１を用いてＩＤ認証を行う場合の動作について説明する。
【００３２】
ここでは、図１に示すように、２つのＩＤ取得機２Ａ，２Ｂが近接（隣接）して設置され、お互いの通信可能領域Ｅ１，Ｅ２の一部が重複（重複領域Ｅ）しており、ＩＤ取得機２Ａのみに携帯通信機３が登録されているものとする。
【００３３】
携帯通信機３を所有した利用者がＩＤ取得機２Ａに近づいてＩＤ認証を行う場合、２つのＩＤ取得機２Ａ，２Ｂの一方又は両方がＩＤ起動信号の発信間隔をランダムに選択してＩＤ起動信号を発信する。これにより、ＩＤ取得機２ＡとＩＤ取得機２Ｂが同時にＩＤ起動信号を発信する確率が低くなる。その結果、ＩＤ取得機２Ａが発信するＩＤ起動信号は、通信可能領域Ｅ１，Ｅ２の重複領域Ｅにおいて、ＩＤ取得機２Ｂが発信するＩＤ起動信号によって邪魔されることなく、携帯通信機３によって受信される。そして、携帯通信機３は、ＩＤ取得機２ＡからＩＤ起動信号を受信すると、そのＩＤ起動信号に応答して暗号化済みＩＤ信号を送信する。ＩＤ取得機２Ａは、ＩＤ起動信号の発信に伴う携帯通信機３からの暗号化済みＩＤ信号を受信すると、そのＩＤ信号を復号してＩＤ認証を行う。そして、携帯通信機３から受信したＩＤ信号のＩＤが正常認証されると、電気錠の解錠制御に移行する。この電気錠の解錠制御は、特に限定されるものではなく、例えばＩＤ取得機２が携帯通信機３から受信したＩＤ信号のＩＤを正常認証したときに電気錠を自動的に解錠制御する形態、ＩＤを正常認証した後の利用者による解錠ボタンや解錠キーの手動操作で電気錠を解錠制御する形態などがある。
【００３４】
このように、本実施の形態のＩＤ認証システム１によれば、複数のＩＤ取得機２（２Ａ，２Ｂ）のうちの少なくとも１つのＩＤ取得機２におけるＩＤ起動信号の発信間隔をランダムに選択してＩＤ起動信号の発信を行うので、複数のＩＤ取得機２（２Ａ，２Ｂ）を近接して設置し、互いの通信可能領域Ｅ１，Ｅ２の一部が重複する場合であっても、複数のＩＤ取得機２（２Ａ，２Ｂ）から同時にＩＤ起動信号（ＬＦ波）が発信される確率が減り、通信可能領域Ｅ１，Ｅ２の重複領域ＥでのＩＤ起動信号の干渉を低減することができる。
【００３５】
また、全てのＩＤ取得機２（２Ａ，２Ｂ）のＩＤ起動信号の発信間隔をランダムに選択してＩＤ起動信号を発信すれば、さらにＩＤ起動信号が干渉する確率が減り、より確実なＩＤ認証を行うことができる。
【００３６】
以上、本発明に係るＩＤ認証システムの最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００３７】
１  ＩＤ認証システム
２（２Ａ，２Ｂ）  ＩＤ取得機
２ａ  無線通信部
２ｂ  記憶部
２ｃ  制御部
３  携帯通信機
３ａ  無線通信部
３ｂ  記憶部
３ｃ  制御部
Ｅ１，Ｅ２  通信可能領域
Ｅ  重複領域
【図１】
2017084267.tif 000003
【図２】
2017084267.tif 000004